(57)【要約】【課題】軽量であるので施工性に優れており、排水性が優れているので水圧を受けることや、土砂の凍上も防止して土砂の崩壊を防止でき、また土砂が流出する事態も防止できる透水型土留柵渠及びその設置工法を提供する。【解決手段】渠壁Ａに沿って離間して立設した複数本の支柱１Ａ、１Ａに、凹部３Ｅ、凸部３Ｆが連続する波型板３を連結した波型土留め体２が架設してある。波型板３の下向き傾斜面３Ｃには長手方向に沿って複数の排水孔４が形成してあり、渠壁Ａに対向して凹部３Ｅには粗状のフィルタ６が収容してある。フィルタ６を覆って波型土留め体２の後面には透水性シート７が展着してある。【選択図】図１
2008057130.tif 000002
【特許請求の範囲】
【請求項１】
渠壁に沿って離間して立設する複数本の支柱と、凹部・凸部が連続する板体からなり、該支柱間に架設する波型土留め体と、該波型土留め体に形成した複数の排水孔と、前記渠壁に対向して前記凹部に収容したフィルタとから構成してなる透水型土留め柵渠。
【請求項２】
前記排水孔は、前記波型土留め体に略下向きの状態で形成してあることを特徴とする請求項１記載の透水型土留柵渠。
【請求項３】
前記フィルタは、線材を絡めることにより無数の空隙を有する粗状に形成したものであることを特徴とする請求項１記載の透水型土留柵渠。
【請求項４】
前記波型土留め体の後面に、前記フィルタを覆った状態で透水性シートを略平面状に展着してあることを特徴とする請求項１記載の透水型土留棚渠。
【請求項５】
掘削形成した渠壁の長手方向に沿って支柱を離間して立設し、複数の凹部・凸部が連続して形成され、かつ、多数の排水孔を有する波型土留め体を該支柱間に架設し、前記渠壁に対向して前記凹部にフィルタを収容し、前記波型土留め体と渠壁との間は土砂により埋め戻しするようにしてなる透水型土留柵渠の設置工法。
【請求項６】
前記凹部にフィルタを収容した後、前記波型土留め体の後面に透水性シートを展着してなる請求項５記載の透水型土留柵渠の設置工法。
【発明の詳細な説明】
【技術分野】
【０００１】
本発明は、排水路となる溝渠に関し、特に多量降雨時の排水能力や降雨に伴う土砂の流出防止に優れている透水型土留柵渠及びその設置工法に関する。
【背景技術】
【０００２】
土木や農業における利水や大雨等に対処する治水のための排水路として溝渠が設置されている。従来の溝渠には、渠壁に沿って立設したＨ型鋼の支柱間に、角型鋼管で形成した枠体に溶接金網を展設した土留め体を架設し、渠壁と土留め体の間に不織布のマットを挟装して構成した金網型柵渠、或いは渠壁に沿って立設した支柱間に、波型鋼板を架設してボルトで固定した波型鋼板製柵渠が知られている。
【非特許文献１】昭和５０年北海道開発局監修「鋼製水路工」
【発明の開示】
【発明が解決しようとする課題】
【０００３】
上述した従来の金網型柵渠は、重量が重いことからクレーンが必要になる場合もあり、施工性が悪いという欠点、マットは金網越しに直接太陽光線が当るために紫外線により劣化し易く、コケ等の植物が発生することにより透水機能が損われるという欠点がある。また、波型鋼板柵渠は、排水用の孔が設けていないため、背面水が渠壁との間に滞留して水圧を受けてしまう、或いは土砂の崩壊を招いてしまうという欠点がある。
【０００４】
本発明は上述した従来技術の諸欠点に鑑みなされたもので、軽量であるので施工性に優れているし、排水性に優れているので水圧を受けることや、背面土内の水を柵渠内に導水することにより冬期間の凍上も軽減できると共に、土砂の崩壊や流出の事態も防止できる透水型土留柵渠及びその設置工法を提供することを目的とする。
【課題を解決するための手段】
【０００５】
上述した課題を解決するために構成された本発明の手段は、渠壁に沿って離間して立設する複数本の支柱と、凹部・凸部が連続する板体からなり、該支柱間に架設する波型土留め体と、該波型土留め体に形成した複数の排水孔と、前記渠壁に対向して前記凹部に収容したフィルタとからなる。
【０００６】
そして、前記排水孔は、前記波型土留め体に略下向きの状態で形成してあるとよい。
【０００７】
また、前記フィルタは、線材を絡めることにより無数の空隙を有する粗状に形成したものであるとよい。
【０００８】
更に、前記波型土留め体の後面に、前記フィルタを覆った状態で透水性シートを略平面状に展着したものであるとよい。
【０００９】
また、請求項５に係る本発明を構成する手段は、掘削形成した渠壁の長手方向に沿って支柱を離間して立設し、後面側に複数の凹部・凸部が連続して形成され、かつ、多数の排水孔を有する波型土留め体を該支柱間に架設し、前記渠壁に対向して前記凹部にフィルタを内装し、前記波型土留め体と渠壁との間は土砂により埋め戻しする工程からなる。
【００１０】
そして、前記凹部にフィルタを収容した後、前記波型土留め体の後面に透水性シートを展着するとよい。
【発明の効果】
【００１１】
本発明は上述の如く構成したから、下記の諸効果を奏する。
（１）渠壁に沿って配設する波型土留め体に複数の排水孔を形成し、背面水を早期に溝渠内に排出するようにしたから、波型土留め体に水圧が掛かる事態、渠壁と波型土留め体との間に溜水して渠壁の土砂が崩れる事態、及び冬期間に背面土内が凍上して土砂が崩壊する事態を防止することができる。
（２）渠壁に対向して凹部にフィルタを収容した構成にしたから、背面水は溝渠内に流出させつつ渠壁の土砂の流失を防止することができる。
（３）排水孔は波型土留め体に略下向きの状態で形成してあるから、背面水を滞留させることなく速やかに溝渠内に排出することができる。
（４）フィルタは、多数の空隙を有する粗状フィルタにしてあるから、排面水を円滑に流出させると共に、土砂による目詰まりも少ないので長期間にわたって使用することができる。
（５）波型土留め体の後面はフィルタを覆った状態で透水性シートを展着することにより略平面状をなしているから、渠壁との間を埋め戻す場合に、土砂崩落や流出の原因となる空隙が形成されるのを可及的に防止することができる。
（６）フィルタは透水性シートによって背面土に直接触れない状態にあるから、コケ等の植物が生え難く、長期間透水機能を保持することができる。
（７）透水性シートは、波型土留め体によって太陽光線から遮蔽されているから、紫外線による劣化がないし、コケ等の植物が生えづらいから透水機能が損なわれることがない。
（８）透水型土留柵渠は、支柱の立設、波型土留め体の架設、フィルタの収容、埋め戻しという少ない工程で設置でき、しかも波型土留め体は軽量であるから、短期間で施工できる。
【発明を実施するための最良の形態】
【００１２】
以下、本発明の実施の形態を図面に基づき詳述する。図１乃至図４は第１の実施の形態を示す。図において、１、１はＨ型鋼からなる支持枠で、該各支持枠１は一対の支柱１Ａ、１Ａと、該一対の支柱１Ａ、１Ａの下端側に両端を固着したＨ型鋼からなる連結材１Ｂとから略凵状に構成してあり、各支持枠１は掘削形成した溝渠に長手方向に離間して設置することにより、支柱１Ａは渠壁Ａに沿って所定の間隔で起立している。
【００１３】
２は渠壁Ａに沿って起立する支柱１Ａ、１Ａ間に架設してボルトで固定した波型土留め体を示す。３、３、・・は該波型土留め体２を構成する複数枚の波型板で、該各波型板３は鋼板を折曲げて上向き傾斜面３Ａ、前縦面３Ｂ、下向き傾斜面３Ｃ、後縦面３Ｄを形成することにより、側面から見て略台形状の凹部３Ｅと凸部３Ｆが交互に連続する形状からなっている。そして、上側の波型板３の下縁と下側の波型板３の上縁を重畳してボルト・ナットで締結することにより縦方向に連結してある。
【００１４】
４、４、・・・は各波型板３の下向き傾斜面３Ｃに形成することにより斜め下向きに開口する多数の排水孔を示す。該各排水孔４は波型板３の長手方向に沿って所定の間隔で配列してあり、下向きに開口することにより、背面水を速やかに溝渠内に流出させて波型土留め体２に水圧が加わることや、渠壁Ａとの間に溜水して背面土砂が崩壊する事態になるのを解消している。
【００１５】
本実施の形態による波型土留め体２は上述の構成からなり、波型板３で構成することにより枠体は不要にしたから軽量であり、複数枚の波型板３は工場で連結して波型土留め体として搬送してもよいし、現場で連結してもよい。そして、図４に示すように、支柱１Ａと波型土留め体２との間にスポンジ或いは不織布からなるパッキン材５を貼着して挟装することにより、支柱１Ａと波型土留め体２の隙間から背面土砂が流失するのを防止している。
【００１６】
次に、６、６、・・は各波型板３の後面側各凹部３Ｆに収納したフィルタを示す。該各フィルタ６には、例えばプラスチック製の線材を絡めることにより多数の空隙が形成された粗状のフィルタを用いているので、背面水の流出性が損われることがないし、土砂による目詰まりも少ないので長期間にわたって使用することができる。
【００１７】
更に、７は前記フィルタ６を含んで波型土留め体２の後面２Ａを全面的に覆った状態で設けた透水性シートを示し、該透水性シート７には例えば不織布を用いている。波型土留め体２は後面２Ａに透水性シート７を展着することにより略平面状をなしているから、土砂崩落の原因となる空隙が渠壁Ａとの間を埋め戻す場合に形成されるのを可及的に防止することができる。
【００１８】
また、透水性シート７はフィルタ６を覆った状態で設けてあり、フィルタ６は背面土に直接接触しない状態にあるので、コケ等の植物が生え難く、長期間透水機能を維持することができる。
【００１９】
次に、図５は第２の本実施の形態に係る波型土留め溝渠を示す。なお、本実施の形態及び後述する他の実施の形態において、上述した第１の実施の形態の構成要素と同一の構成要素には同一の符号を付して援用し、その説明を省略する。図において、１１は支柱１Ａ、１Ａに架設した波型土留め体、１２は該波型土留め体１１を構成する複数枚の波型板で、該各波型板１２は鋼板を折曲げて上向き傾斜面１２Ａ、前縦面１２Ｂ、下向き傾斜面１２Ｃ、後縦面１２Ｄを形成することにより、側面から見て略台形状の凹部１２Ｅと凸部１２Ｆが交互に連続する形状からなっている。
【００２０】
１３、１３、・・・は前記波型板１２の下向き傾斜面１２Ｃに形成した下向き排水孔を示し、１４、１４、・・・は前縦面１２Ｂに形成した横向き排水孔を示す。このように、波型板１２は下向き排水孔１３に加えて横向き排水孔１４を設けることにより、透水型土留柵渠は大量の降水があった場合の排水に対応できるし、降水量が多い地域や保水力が小さい地域に使用するのに好適である。
【００２１】
更に、図６は第３の実施の形態を示し、その特徴とするところは波型土留め体２１は下から中間までを排水孔４を有する複数枚の有孔波型板３、３で構成し、上側は排水孔を形成していない複数枚の無孔波型板２２、２２を用いたことにある。
【００２２】
本実施の形態によれば、単数枚又は複数枚の有孔波型板３と無孔波型板２２を組合せることにより、現地状況に応じて任意の高さに透水面及び不透水面の設定ができるので、設置する柵渠のコストを節減できる。
【００２３】
なお、各実施の形態において、波形土留め体２、１１、２１に設ける排水孔４、１３、１４は、設置する現場の状況を勘案してその数、配置の態様を適宜選択すればよい。
【図面の簡単な説明】
【００２４】
【図１】図１乃至図４は本発明の第１の実施の形態に係り、図１は透水型土留柵渠の全体構成を示す斜視図である。
【図２】透水型土留柵渠の正面図である。
【図３】図２中のＩＩＩ−ＩＩＩ矢示方向拡大断面図である。
【図４】透水型土留め柵渠の部分斜視図である。
【図５】第２の実施の形態に係る透水型土留柵渠の正面図である。
【図６】第３の実施の形態に係る透水型土留柵渠の正面図である。
【符号の説明】
【００２５】
１Ａ      支柱
２、１１、２１    波型土留め体
２Ａ      後面
３、１２  波型板
３Ｅ      凹部
４        排水孔
６        フィルタ
７        透水性シート
１４      横向き排水孔
２２      無孔波型板
【図１】
2008057130.tif 000003
【図２】
2008057130.tif 000004
【図３】
2008057130.tif 000005
【図４】
2008057130.tif 000006
【図５】
2008057130.tif 000007
【図６】
2008057130.tif 000008